(57)【要約】【課題】ボビンに平角線を多層整列巻きする際に、ボビンの両側の鍔部での反転位置での平角線の隙間の発生、平角線の重なり等の巻乱れを防止する。【解決手段】トラバーサでボビンを軸線方向に往復移動させ、回転駆動されるボビンに平角線を多層整列巻きする巻取方法であって、前記ボビンの軸線方向のトラバース速度をシーケンス制御し、ボビンの胴部両端の鍔部と平角線が接触する反転位置で一時停止して重ね巻して層上がりさせ、層上がりした線に再び平角線が重ならないようにトラバース速度を速めて反転し、線押えローラにより平角線を鍔部側へと付勢して隙間を減少していることを特徴とする。【選択図】図１
2010006585.tif 000002
【特許請求の範囲】
【請求項１】
トラバーサでボビンを軸線方向に往復移動させ、回転駆動されるボビンに平角線を多層整列巻きする巻取方法であって、
前記ボビンの軸線方向のトラバース速度をシーケンス制御し、ボビンの胴部両端の鍔部と平角線が接触する反転位置で一時停止して重ね巻して層上がりさせ、層上がりした線に再び平角線が重ならないようにトラバース速度を速めて反転し、線押えローラにより平角線を鍔部側へと付勢して隙間を減少していることを特徴とする平角線の巻取方法。
【請求項２】
前記トラバース速度を速めて行うクイック巻き後にトラバースを一時停止して、前記線押えローラによる平角線への押さえでＳ字状に巻き付けられた平角線を斜め並列巻きへと移行させている請求項１に記載の巻取方法。
【請求項３】
前記反転位置でトラバースを一時停止した状態で前記ボビンの鍔部と平行に平角線を約１．５周巻き付け、上層の平角線は下層の平角線に半周重ねた状態とし、クイック巻きで反転し、その後、２〜３周トラバースを一時停止させている請求項２に記載の平角線の巻取方法。
【請求項４】
前記線押えローラはスプリングで付勢して前記平角線の鍔部反対側面と上面に当接させ、平角線の巻き取りと同期して移動させ、所要位置でボビン側から離れる方向に移動させている請求項１乃至請求項３のいずれか１項に記載の平角線の巻取方法。
【請求項５】
トラバーサでボビンを軸線方向に往復移動させ、回転駆動されるボビンに平角線を多層整列巻きする巻取装置であって
前記トラバーサによるボビンの移動速度を、ボビンへの平角線の巻付領域によって可変制御するトラバース制御手段と、  
ボビン軸端の鍔に接する位置で反転して層上がりする前記平角線を鍔側へ付勢する線押えローラと、
前記線押えローラをボビンに対して近接離反させると共にボビンの軸線方向に往復移動させる線押えローラ駆動制御手段と、
を備えていることを特徴とする平角線の巻取装置。
【請求項６】
前記トラバースのシーケンス制御は、ボビン取付軸と、それを回転させるモータを取り付けた移動台をトラバースさせるモータを制御して行い、ボビン両端の鍔に近接する反転領域は変速移動運転、両側の反転領域に挟まれた中央部は定速移動運転とし、
前記変速移動運転は、平角線が鍔に接する位置でトラバースを一次停止、該停止後に急速移動、該急速移動後に一旦停止、該停止後に定速移動をさせる運転パターンとし、
前記線押えローラ駆動制御は、線押えローラを先端に取り付けたアームを移動台に回転手段を介して突設し、該回転駆動手段と前記移動台の移動手段はエアーシリンダを用い、エアーの切り替えの電磁弁をシーケンス制御し、押えローラは鍔での反転直前にボビン上に接触させ、前記トラバースの急速移動後の一時停止時に押えローラにて平角線を鍔部へと付勢し、該状態で平角線の巻き取り方向と同一方向に移動させ、所定位置でボビン側より押えローラを離反移動させている請求項５に記載の平角線の巻取装置。
【請求項７】
前記線押えローラは前記ボビンを挟んでトラバーサと反対側に配置すると共に、ボビン軸線方向に一対備え、該一対の線押えローラは、平角線のトラバース方向と同一方向に同期して移動する移動手段に回転手段を介して突設したアームの先端に取り付け、これらアームを前記回転手段でボビン側へ近接させると共に所要距離移動した後にボビン側から離反させている請求項６に記載の平角線の巻取装置。
【発明の詳細な説明】
【技術分野】
【０００１】
本発明は、平角線をボビンに整列に巻き付ける巻取方法および巻取装置に関し、詳しくは、ボビンを軸線方向に往復移動させるボビントラバース方式で、回転駆動されるボビンに多層整列巻きする平角線の巻取方法および巻取装置に関するものである。
【背景技術】
【０００２】
平角線の巻取装置では、ボビンの長さ方向の一端側から他端側へと軸線方向にピッチ送りで平角線を整列に巻き付け、ボビンの巻胴端部の鍔部に接する位置で反転して上層に層上がりさせ、層上がりした反転後に他端側から一端側へと往復作動させ、これを繰り返してボビンの平角線を整列多層巻きしている。
この種の平角線をボビンに多層に整列巻きする場合、上層への層上がりする部分において、ボビン鍔と平角線の間に隙間や同一列に隣接する平角線に重なりが発生しやすい問題がある。
【０００３】
従来、この種の線材の巻取装置として、特許第３５８８５８８号（特許文献１）が提供されている。
特許文献１の線材供給部は、図９に示すように、ボビンの軸方向に往復移動されるトラバーサ１の支持板２に回転自在に搭載した回転板３に線材繰り出しプーリ４を先端に設けたアーム５の基端を連結している。該回転板３をスプリング６により前記プーリ４を引き戻す方向に付勢し、スプリング６のバネ力をバネ力調整装置７で制御し、線材の押し付け力を調整して隣接する線材同士を密着させて整列巻きしている。さらに、上層から下層に折り返す部分では、回転板３に設けた凸形係合部３ａを回転規制シリンダ８で移動される凹形係合部９と係合させて回転板３の回転動作をロックしている。
【０００４】
前記特許文献１の巻取装置では、線材を下層から上層に折り返す部分では、回転板３の回転を停止すると共にスプリング６により回転板を反転させる付勢力を付与して、線材がボビンの側端の鍔部の内側面に当たると自然に（線なり）に反転して、反対方向に巻かれていき、スプリング６のバネ力により上層に乗り上げるための力が与えられ、クロス部における折り返しはスムーズになされ巻乱れは生じない、とされている。
【０００５】
しかしながら、特許文献１のように、繰り出される線材の折り返し端で回転板の回転を停止した状態でスプリング６による線材への押さえ力を強くした後に、ロックを解除してボビンに線材を巻き付ける際に、巻き付ける線材間に隙間が発生しやすく、かつ、線材のねじれが発生しやすい問題が解消されていない。また、線材自体をスプリングによるバネ力で強く押すと、線材が重なったり、線材がボビンの鍔部に強く擦れて、線材に損傷が発生しやすい等の問題がある。さらに、トラバーサ１の往復移動させる支持台２上に線材押さえのために多数の備品を搭載しているためトラバーサの移動用駆動力が大となり、該トラバーサの移動制御を行おうとした場合に、微小な移動制御を精度良く行うことは困難となる。
【０００６】
【特許文献１】特許第３５８８５８８号公報
【発明の開示】
【発明が解決しようとする課題】
【０００７】
本発明は、前記問題に鑑みてなされたもので、特許文献１で発生する反転位置で折り返して層上がりする部分で隙間や隣接する平角線の重なりを発生させないようにすることを課題としている。
【課題を解決するための手段】
【０００８】
前記課題を解決するため、第一の発明として、トラバーサでボビンを軸線方向に往復移動させ、回転駆動されるボビンに平角線を多層整列巻きする巻取方法であって、
前記ボビンの軸線方向のトラバース速度をシーケンス制御し、ボビンの胴部両端の鍔部と平角線が接触する反転位置で一時停止して重ね巻して層上がりさせ、層上がりした線に再び平角線が重ならないようにトラバース速度を速めて反転し（以下、クイック巻き反転と称する）、線押えローラにより平角線を鍔部側へと付勢して隙間を減少していることを特徴とする平角線の巻取方法を提供している。
【０００９】
本発明では、平角線のボビンへの巻付回転角度の制御と、平角線とボビン鍔との隙間および平角線同士の隙間を減少させる線押さえとは独立して行い、反転後の層上がりした平角線と、該平角線と隣接して巻き付けていく上層の平角線との間に大きな隙間を設けることにより、平角線に重なりが発生するのを防止し、発生させた大きな隙間を線押えローラにより平角線をボビン鍔部側へと付勢して隙間を減少している。
反転位置での平角線の巻取方法を前記方法とすることで、平角線の多層整列巻きで隙間や重なり等の巻き乱れが発生しやすい反転位置での巻き取りを、巻乱れを発生させることなく巻き取ることができる。
【００１０】
さらに、前記クイック巻き後にトラバースを一時停止して、前記線押えローラによる平角線への押さえでＳ字状に巻き付けられた平角線を斜め並列巻きへと移行させている。
即ち、反転位置の下層の平角線に重ねた上層の平角線と、クイック巻きする隣接の平角線との間に隙間が発生し、この隙間を無くすために線押えローラで押すと平角線はＳ字状に巻き付かれた状態となる。この状態のままで巻き付けていくとボビンの胴部全長にかけて平角線がＳ字状に巻き付けられた状態を解消しにくい。よって、このＳ字巻の状態を解消する必要があるため、トラバースの急速移動、一次停止後の低速移動運転領域では、巻きピッチと平角線の幅よりも２〜１０％広くとることにより、平角線のＳ字巻きを次第に斜め並行巻きへと移行させることができる。
【００１１】
具体的には、前記反転位置でトラバースを一時停止した状態で前記ボビンの鍔部と平行に平角線を約１．５周巻き付け、上層の平角線は下層の平角線に半周重ねた状態とし、残り半周をクイック巻きし、その後、一時停止で２〜３周巻き付けた後、定ピッチで巻き取り、Ｓ字巻を緩やかに並列巻きへと移行させる。
【００１２】
前記線押えローラはスプリングで付勢して前記平角線の鍔部反対側面と上面に当接させ、平角線の巻き取りと同期して移動させ、所要位置でボビン側から離れる方向に移動させている。
【００１３】
前記のように、線押えローラを付勢するスプリング力を制御することにより、ボビンに対する平角線の巻き付け領域に応じた適切な押さえ力を平角線に負荷することができ、整列する平角線の間に隙間を、平角線の幅の２〜１０％程度の適性範囲に保持することができる。その結果、平角線間に大きな隙間を発生させないことにより上層の平角線の隙間への落ち込みによる巻乱れや、平角線間の隙間が小さ過ぎて平角線の重なりが発生することを防止できる。
前記線押えローラは左右一対設け、一方の線押えローラを前記反転位置でボビン側へ位置して平角線と接触させ、他端側の鍔部の近くまで前記トラバースと略同期して移動した後にボビン側から離れる方向に移動し、該離反位置に向けて前記スプリングによる付勢力を次第に減少し、該線押えローラを離反した後に他方の線押えローラを他端側の反転位置でボビン側へ移動させて平角線と接触させている。
【００１４】
前記第一の発明の平角線の巻取方法を行うことができる平角線の巻取装置を第二の発明として提供している。即ち、
トラバーサでボビンを軸線方向に往復移動させ、回転駆動されるボビンに平角線を多層整列巻きする巻取装置であって
前記トラバーサによるボビンの移動速度を、ボビンへの平角線の巻付領域によって可変制御するトラバース制御手段と、  
ボビン軸端の鍔に接する位置で反転して層上がりする前記平角線を鍔側へ付勢する線押えローラと、
前記線押えローラをボビンに対して近接離反させると共にボビンの軸線方向に往復移動させる線押えローラ駆動制御手段と、
を備えていることを特徴とする平角線の巻取装置を提供している。
【００１５】
前記トラバースのシーケンス制御は、ボビン取付軸と、それを回転させるモータを取り付けた移動台をトラバースさせるモータを制御して行い、ボビン両端の鍔に近接する反転領域は変速移動運転、両側の反転領域に挟まれた中央部は定速移動運転とし、
前記変速移動運転は、平角線が鍔に接する位置でトラバースを一次停止、該停止後に急速移動、該急速移動後に一旦停止、該停止後に定速移動をさせる運転パターンとし、
前記線押えローラ駆動制御は、線押えローラを先端に取り付けたアームを移動台に回転手段を介して突設し、該回転駆動手段と前記移動台の移動手段はエアーシリンダを用い、エアーの切り替えの電磁弁をシーケンス制御し、押えローラは鍔での反転直前にボビン上に接触させ、前記トラバースの急速移動後の一時停止時に押えローラにて平角線を鍔部へと付勢し、該状態で平角線の巻き取り方向と同一方向に移動させ、所定位置でボビン側より押えローラを離反移動させている。
【００１６】
前記トラバースおよび押えローラの制御は、予めプログラムを作成し、該プログラムに基づいて、モータ等の駆動手段を制御するシーケンス制御としている。
よって、従来は作業員が反転領域に発生する隙間を無くしたり、整列する平角線の重なりを是正する作業を不要とでき、省力化を図ることができる。
【００１７】
前記線押えローラを左右一対備えている。この左右一対の線押えローラは、それぞれ平角線のトラバース方向と同一方向に同期して移動する移動手段に回転手段を介して突設したアームの先端に取り付け、アームを前記回転手段でボビン側へ近接させると共に所要距離移動した後にボビン側から離反させた構成としている。
【００１８】
本発明で用いる平角線は、銅等の金属導体からなる単芯線に絶縁塗料を焼き付け塗布したエナメル線が好適に用いられる。
該エナメル線は、例えば、厚さ０．５〜５．０ｍｍ、幅１．０〜１０．０ｍｍとされ、極薄細幅のエナメル線を多層整列巻きする場合にも反転位置で巻乱れや隙間を発生させることなく巻き取ることができる。
なお、前記エナメル線以外の断面矩形状とした被覆電線にも適用することができる。
【発明の効果】
【００１９】
上述したように、本発明の平角線の巻取方法によれば、トラバース速度制御を行い、反転領域では変速運転を行い、反転位置でトラバースを一時停止して約１．５周程度重ね巻きして層上がりさせて反転し、反転後にはトラバース速度を速めてクイック巻きして隣接する平角線間の隙間を大として平角線の重なり発生を防止している。前記大きな隙間は、トラバーサとは別に設けた線押えローラにより平角線を鍔部側の反転位置へと押し付けることにより、前記大きな隙間を無くし或いは減少している。
よって、従来の平角線の多層整列巻きにおいて解消出来なかった反転位置での隙間の発生や、重なり、ねじれ等の巻乱れの発生を防止することができる。
【発明を実施するための最良の形態】
【００２０】
以下、本発明の実施形態を図面を参照して説明する。
図１は平角線の巻取装置全体の概略図であり、エナメル線からなる平角線１０を巻き付けるボビン１１は、ボビン取付用のスピンドル１２に着脱自在に装着し、該スピンドル１２をギアを介してトルクモータ４０により一定張力で回転駆動している。平角線１０は固定したアームガイド２０から繰り出し、ボビン１１の下方に配置したトラバーサ１３によりボビン１１を往復移動し、該往復移動するボビン１１の外周面に平角線１０を軸線方向に巻き付けている。
【００２１】
前記スピンドル１２を回転自在に支持する軸受材１２ａに、図１に示すように、Ｌ字状の支持材１９の垂直部１９ａに固定し、支持材１９の水平部１９ｂ上に前記トルクモータ４０を搭載している。支持材１９はボビン１１の下方に配置したトラバーサ１３の移動台１６上に固定している。該移動台１６は固定台１５の上部に、ボビン１１の軸線方向Ｌと平行に移動自在に搭載している。詳しくは、固定台１５にボビン１１の軸線方向Ｌと平行に配置したスクリューシャフト１７を回転自在に取り付け、スクリューシャフト１７をサーボモータ１８で回転駆動している。該スクリューシャフト１７に螺合するネジ穴を移動台１６に設け、スクリューシャフト１７の回転に応じて移動台１６を移動させている。
【００２２】
前記サーボモータ１８によりスクリューシャフト１７を回転させることにより移動台１６をボビン１１と軸線方向Ｌと平行に移動させ、サーボモータ１８を正逆回転することで移動台１６を往復移動している。
【００２３】
本実施形態では、サーボモータ１８の回転速度を変え、スクリューシャフト１７を介して移動台１６の移動速度をシーケンス制御している。このサーボモータ１８の回転制御による移動速度の制御（以下、トラバース制御）を行うことにより、一定張力で回転しているボビン１１への平角線１０の巻取回転角度を制御している。
即ち、移動を停止すると、平角線１０はボビン１１の円筒胴部１１ａに上下に重ねて巻き付けられ、巻取回転角度は０度となる。一方、移動速度を早くすると、ボビン１１への巻取回転角度は次第に大きくなって、クイック巻きとなる。
【００２４】
前記トラバースのシーケンス制御は、ボビン１１に対する平角線１０の巻付領域に応じて運転パターン（即ち、移動速度）を変えて行い、平角線１０のボビン１１への巻取回転角度を制御している。該トラバース制御の運転パターンの詳細については後述する。
【００２５】
また、ボビン１１の下方に、ボビン１１の円筒胴部１１ａに巻き付けた平角線１０を円筒胴部１１ａの両側の鍔部１１ｂの内面に付勢する左右一対の線押えローラ１４（１４−１、１４−２）を配置している。
該線押えローラ１４（１４−１、１４−２）は、図２に示すように、アーム２５Ａ、２５Ｂの先端に取り付け、アーム２５Ａ、２５Ｂの基端を移動台２３上に搭載した一対の回転用のエアーシリンダ２４（２４Ａ、２４Ｂ）に基端を軸着している。アーム２５Ａ、２５Ｂの矢印方向に示す回転で、線押えローラ１４を起動位置と起動解除位置と変位させている。起動位置はアーム２５Ａ、２５Ｂをボビン１１側に近接させる下方移動位置であり、起動解除位置とはボビン１１から離れる上方の復帰位置である。
【００２６】
前記移動台２３は直進用シリンダ２２上に矢印方向に往復移動自在に搭載し、該直進用シリンダ２２の両端から突設したフレーム２２ａ、２２ｂに夫々移動台２３の移動量を微調整するストッパー・ネジ２６Ａ、２６Ｂと取り付けている。
【００２７】
前記各アーム２５（２５Ａ、２５Ｂ）の先端にそれぞれ取り付ける線押えローラ１４（１４−１、１４−２）は、図３（Ａ）に示すように、アーム２５の先端に設けた取付穴にローラ支持軸３０をボビン１１の軸線方向Ｌと平行方向に摺動自在に貫通保持している。該ローラ支持軸３０の一端に線押えローラ１４を外嵌固定しており、ボビン１１の軸線方向の右側に配置する線押えローラ１４−１は右端の鍔部１１ｂ側に向けて配置し、ボビン１１の軸線方向の左側に配置する線押えローラ１４−２は左端の鍔部１１ｂ側に向けて配置している。
【００２８】
前記左右のローラ支持軸３０には線押えローラ１４（１４−１、１４−２）とアーム２５（２５Ａ、２５Ｂ）との間にスプリング３２を介在させ、かつ、ローラ支持軸３０の他端側にカラー３３を固定し、カラー３３とアーム２５との隙間Ｃの寸法に応じてスプリング３２により線押えローラ１４の押さえ力を調整している。該隙間Ｃの調整は平角線１０の線の幅より調整しており、該隙間寸法についての詳細は後述する。
【００２９】
各線押えローラ１４（１４−１、１４−２）は樹脂成形品からなり、その形状は図３（Ｂ）に示すように、大径筒部１４ａの先端に小径筒部１４ｂを突出させた大小２段筒形状としている。大径筒部１４ａと小径筒部１４ｂとの段差寸法Ｈは平角線１０の厚さＴと略同等厚さとし、かつ、小径筒部１４ｂの軸線方向の寸法Ｌ１は平角線１０の幅Ｗの２倍としている。該大径筒部１４ａの外周面の軸線方向は小径筒部１４ｂと同等としている。
本実施形態で用いる平角線からなるエナメル線は、厚さＴが１．７ｍｍ、幅Ｗが１．９ｍｍである。
前記大径筒部１４ａと小径筒部１４ｂとからなる線押えローラ１４は前記ローラ支持軸３０の先端に回転自在に外嵌して取り付けている。
【００３０】
前記移動台１６のトラバースのシーケンス制御は前記サーボモータ１８により行い、前記線押えローラ１４による平角線押さえのシーケンス制御は前記直進用のエアーシリンダ２２および回転用のエアーシリンダ２４へのエアー配管に設けた電磁弁切替制御により行っている。
【００３１】
前記構成からなる平角線１０の巻取装置では、アームガイド２０よりボビン１１に送給されてくる平角線１０をプーリ１８を通してボビン１１の円筒胴部１１ａの長さ方向の一端側から巻き付け、前記移動台１６をサーボモータ１８により移動させて円筒胴部１１ａの軸線方向Ｌに沿って他端の鍔部１１ｂに向けてピッチ巻きしている。前記鍔部１１ｂに平角線１０が達すると反転させて上層へ層上がりさせ、対向する鍔部１１ｂに向けて前記と同様にピッチ巻きし、この往復作動を繰り返すことにより、平角線１０をボビン１１の円筒胴部１１ａに多層整列巻きしている。
【００３２】
平角線１０のボビン１１への前記巻き取り工程において、両側の鍔部１１ｂで反転位置で平角線１０と鍔部１１ｂの内周面の間、反転した上層の隣接する平角線１０の間に巻乱れが発生しない空隙を発生させず、かつ、隣接する平角線に重なりを発生させないように、前記したトラバースのシーケンス制御と、線押えローラ１４による平角線１０の押さえのシーケンス制御を、以下の通り行っている。
【００３３】
まず、前記トラバースのシーケンス制御について図４（Ａ）（Ｂ）および図５（Ａ）〜（Ｄ）に基づいて説明する。
図４（Ａ）に示すように、ボビン１１の円筒胴部１１ａの両端の鍔部１１ｂに近接する反転領域Ｓは３つの運転パターンからなる変速運転とし、トラバーサの移動台１６の移動速度をサーボモータ１８により変速している。両側の反転領域Ｓに挟まれた中央領域Ｍは定速運転としている。図４（Ｂ）において、変速運転は太実線で示し、定速運転は細実線で示す。
【００３４】
図５（Ａ）に示す中央領域Ｍの定速運転では、同一列の隣接する平角線１０同士の間に、平角線１０の幅Ｗの２〜１０％の隙間Ｘをあけてピッチ巻きするようにトラバース制御を行い、隣接する平角線１０が乗り上げないようにしている。なお、一層目の平角線１０の巻始め位置からは定速運転としている。
【００３５】
前記反転領域Ｓの３つの運転パターンからなる変速運転は、鍔部１１ｂに平角線１０が接触する反転位置Ｓ１と、反転して上層に層上がりした後の平角線をクイック巻きする開始位置Ｓ２と、２〜３回転クイック巻きした停止位置Ｓ３の各位置で運転パターンを変えている。
【００３６】
平角線１０が反転位置Ｓ１に達すると、サーボモータ１８の回転を止めて一時運転休止状態とし、鍔部１１ｂの内面と接触する平角線１０を鍔部１１ｂと平行に同一位置に重ね巻きして、図５（Ｃ）に示すように、平角線１０ｕ１を上層へ層上がりさせる。
具体的には、この反転位置Ｓ１での一時運転休止時に、平角線１０はボビンの円筒胴部１１ａに１．５周巻き付けて層上がりさせ、図６（Ａ）（Ｂ）（Ｃ）に示すように、下層の１回転分の平角線１０ｄ１と上層の平角線１０ｕ１の０．５周分重ねている。
【００３７】
反転位置Ｓ１で鍔部１１ｂに接して平角線１０が上層へ層上がりし、０．５周巻き付けた後のクイック巻き開始位置Ｓ２から停止位置Ｓ３までトラバース速度を定常速度よりも約３〜８倍、好ましくは６倍程度早くして、平角線１０ｕ１の後半の０．５周分と１０ｕ２〜１０ｕ４をボビン１１の円筒胴部１１ａにクイック巻きしている。このクイック巻きは平角線１０の幅Ｗに対して１０〜６０％程度の隙間Ｘ１を生じさせて、反転後の上層位置で隣接する平角線１０に重なりを発生させないように巻き付けている。
【００３８】
反転位置Ｓ１で上層となった平角線１０ｕ１は残りの０．５周はクイック巻きで巻付回転角度が大きくなるため、鍔部１１ｂとの間に図６（Ｃ）中にクロス斜線で示すように空隙Ｋが発生する。この空隙Ｋを図６（Ｄ）（Ｅ）に示すように線押えローラ１４−１により鍔部１１ｂ側に平角線１０ｕ１を付勢して減少させて、図６（Ｅ）に示す微小な三角形状の隙間ｊの残すだけとしている。
【００３９】
前記空隙Ｋを微小な三角形状の隙間ｊとするため、クイック巻き後にトラバースを一時停止させ、２〜３周巻き付け、線押えローラ１４−１により平角線１０を鍔部１１ｂ側へ付勢する。その後は前記定常運転となる。
【００４０】
前記のように、反転後に平角線１０ｕ１〜１０ｕ４に重なりを発生させないためにクイック巻きし、該クイック巻きで発生させた隙間Ｘ１は、線押えローラ１４−１で詰めて隣接する平角線が接するように減少している。
以下、線押えローラ１４の作動を説明する。
【００４１】
平角線１０が右端の鍔部１１ｂに接して反転位置Ｓ１に達する手前で、線押えローラ１４−１のアーム２５Ａを回転用のエアーシリンダ２４により起動し、ボビン１１に巻き取られた下層の平角線１０に大径筒部１４ａの外周面が接触する位置へと下降させ、小径筒部１４ｂの先端面を反転した上層の平角線１０の側端面１０ｓを接触させる。
【００４２】
線押えローラ１４により平角線１０に負荷する押さえ力はスプリング３２により発生させている。
前記スプリング３２による押さえ力は、前記のように、アーム２５とカラー３３の隙間Ｃを平角線１０の幅により調整しており、前記図３（Ａ）に示すセット時には、平角線１０の０．５〜１本分の幅に対応する隙間をあけている。
平角線１０の反転後に前記空隙Ｋおよび大きな隙間Ｘ１を解消する際には、図７（Ａ）に示すように、アーム２５とカラー３３の隙間Ｃを平角線１０の１〜２本分に広げて、アーム２５と線押えローラ１４との間隔を狭くしてスプリング３２を圧縮して、線押えローラ１４へ負荷するバネ力を大としている。このバネ力を大とした線押えローラ１４−１により鍔部１１ｂ側に平角線１０ｕ１を押すことにより、前記図６（Ｄ）に示すように、平角線１０ｕ１の後巻付け部分の０．５周と鍔部１１ｂの間に発生した三角形状の空隙Ｋを図６（Ｅ）に示す微小な空隙ｊを残すだけで鍔部１１ｂと平角線１０ｕ１とを接触させている。また、平角線１０ｕ１〜１０ｕ４のそれぞれの隣接間に発生させる大きな隙間Ｘ１は無くしている。
【００４３】
これにより、平角線１０ｕ４〜１０ｕ１の側端縁同士が接触し、かつ、反転位置の平角線１０ｕ１は鍔部１１ｂの内面に隙間なく当接する。
この状態で、前記空隙Ｋを無くすために、平角線１０ｕ１〜１０ｕ４は図６（Ｆ）に示すように、Ｓ字状に屈曲して巻き付くこととなる。
よって、前記トラバース制御でクイック運転後に、トラバースを一時停止して、平角線１０ｕ５をボビン１１の円筒胴部１１ａに軸直角方向（巻取回転角度０゜）で巻き付け、Ｓ字巻きの状態から、平角線が屈曲しない斜向巻き付け状態に移行させている。
【００４４】
前記線押えローラ１４−１は直線用のエアーシリンダ２２の上面に取り付けた移動台２４上の回転用のエアーシリンダ２４から突出したアーム２５Ａを介して、ボヒン１１上に接触し、ボビン１１が図７（Ｂ）に示すように左から右へと移動する。
反転位置Ｓ１よりバネ力を次第に弱めるために、アーム２５とカラー３３の隙間Ｃを次第に小さくして、スプリング３３を伸長させ、線押えローラ１４へ負荷するバネ力を減少し、ボビン１１の長さ方向の中央位置より左端の鍔部１１ｂに近い位置に達した時点で隙間Ｃを無くしている。この位置で達した時点で、アーム２５Ａを上昇させて平角線１０と接触を解除して復帰位置に戻す。
この復帰位置では、図７（Ｃ）に示すように、線押えローラ１４と平角線１０との間に隙間をあけている。
【００４５】
平角線１０が左端の鍔部１１ｂに近接した反転前位置に達すると、左側の線押えローラ１４−２がボビン１１側に下降して、前記線押えローラ１４−１と同様な作動を行う。このように、ボビン１１の両側の鍔部１１ｂに平角線１０が接する反転位置で、それぞれ線押えローラ１４−１、１４−２で前記隙間ＫおよびＸ１を無くす作動を行い、その後、下降状態のまま他端の鍔部１１ｂ側へトラバースと同期して移動し、他端の鍔部１１ｂに接触する前に復帰位置へと上昇させている。
【００４６】
線押えローラ１４（１４−１、１４−２）は、小径筒部１４ｂの先端が平角線１０の側端面１０ｓに接触して、平角線１０の間の隙間Ｘを調整する一方、大径筒部１４ａの下側外周面は下層の平角線１０の上面を押さえて、多層巻する平角線１０の線乗りを発生させないように密着させている。
【００４７】
このように、左右一対の線押えローラ１４−１、１４−２による平角線１０の押さえ作動により、ボビン１１の円筒胴部１１ａの全長に多層整列巻きされる平角線１０間の隙間を設定した隙間に制御し、下層の平角線の境界位置に上層の平角線が位置する整列巻きを保持している。
【００４８】
前記した巻き取り工程でボビン１１の円筒胴部１１ａに巻き取られた平角線１０は、図８に示す状態となる。
即ち、鍔部１１ｂと接触する反転位置では平角線１０は並行にターンして層上がりし、層上がりした平角線１０ｕ１は隣接して巻回する平角線１０ｕ２にクイック巻きしているために、平角線１０ｕ１に平角線１０ｕ２が乗り上げさせない状態となる。
反転後にクイック巻きした平角線１０ｕ２〜１０ｕ４はＳ字巻きされるが、線押えローラ１４により平角線間の隙間は狭められている。
クイック巻き後にトラバースを一旦休止してボビン１１に巻付回転角度を０度として平角線１０ｕ５を巻き付けるため、前記Ｓ字巻きの曲線が緩やかに回復し、円筒胴部１１ａの中央領域Ｍでは斜め並行巻きとなる。
【００４９】
前記のように、本発明では、ボビン１１の両側の鍔部１１ｂで反転して層上がりさせる平角線１０に重なりを無くすと共に、同一列で隣接する平角線間に隙間をなくしている。よって、反転位置で従来発生していた隙間および重なり等をトラバース制御と線押えローラを制御することにより自動的に解消できる。
【００５０】
なお、本発明は前記実施形態に限定されず、例えば、トラバーサの移動源としてシリンダを用いてもよく、該シリンダで前記実施形態と同様なトラバースのシーケンス制御を行ってもよい。
【図面の簡単な説明】
【００５１】
【図１】本発明の平角線の巻き取り装置の全体概略正面図である。
【図２】線押えローラの駆動機構を示す斜視図である。
【図３】線押えローラを示し、（Ａ）はボビンの鍔部と線押えローラとの関係を示す図面、（Ｂ）は線押えローラと平角線の関係を示す図面である。
【図４】トラバース制御を示し、（Ａ）は平角線の巻付位置と運転制御位置との関係を示す概略図、（Ｂ）はボビンの全長とトラバース制御との関係を示す線図である。
【図５】（Ａ）〜（Ｅ）は各運転パターンにおける平角線の巻き付け状態を示す図面である。
【図６】（Ａ）は鍔部に接する反転位置での断面図、（Ｂ）は反転位置での平面図、（Ｃ）は層上がりした上層の平角線１０ｕ１と鍔部との間に発生する隙間を示す平面図、（Ｄ）は前記隙間を無くすために線押えローラを作用させている状態を示す正面図、（Ｅ）は線押えローラにより隙間が減少した状態を示す平面図、（Ｆ）はクイック巻きした平角線間の隙間を減少させている状態を示す平面図である。
【図７】（Ａ）（Ｂ）（Ｃ）は線押えローラの位置とスブリングのバネ力との関係を示す図面である。
【図８】ボビンに平角線が巻き付けられた状態を示す平面図である。
【図９】従来例の斜視図である。
【符号の説明】
【００５２】
１０  平角線
１０ｄ１  反転位置の下層の平角線
１０ｕ１  反転位置の上層の平角線
１０ｕ２〜１０ｕ４  上層のクイック巻きする平角線
１１  ボビン
１１ａ  円筒胴部
１１ｂ  鍔部
１２  スピンドル
１３  トラバーサ
１４（１４−１、１４−２）  線押えローラ
１４ａ  大径部  
１４ｂ  小径部
２２  直進用シリンダ
２３  移動台
２５Ａ、２５Ｂ  アーム
Ｓ  反転領域  
Ｓ１  反転位置
Ｓ２  反転後のクイック巻き開始位置
Ｓ３  一時停止位置
Ｍ  中央領域
【図１】
2010006585.tif 000003
【図２】
2010006585.tif 000004
【図３】
2010006585.tif 000005
【図４】
2010006585.tif 000006
【図５】
2010006585.tif 000007
【図６】
2010006585.tif 000008
【図７】
2010006585.tif 000009
【図８】
2010006585.tif 000010
【図９】
2010006585.tif 000011